(57)【特許請求の範囲】
【請求項１】
ＣＥＬＬ＿ＦＡＣＨ状態における無線リンク同期化および電力制御のための方法であって、
前記方法は、
ランダムアクセスチャネル（ＲＡＣＨ）プリアンブルを受信するステップと、
前記ＲＡＣＨプリアンブルに応答してアクイジション・インジケータを送信するステップと、
フラクショナル専用物理チャネル（Ｆ−ＤＰＣＨ）をＦ−ＤＰＣＨ時間にしたがって送信するステップであって、前記Ｆ−ＤＰＣＨ時間は、相対Ｆ−ＤＰＣＨタイミングオフセットパラメータおよび前記アクイジション・インジケータを含むアクイジション・インジケータチャネル（ＡＩＣＨ）アクセススロットに基づく、ステップと、
専用物理制御チャネル（ＤＰＣＣＨ）をＤＰＣＣＨ時間にしたがって受信するステップであって、前記ＤＰＣＣＨ時間および前記Ｆ−ＤＰＣＨ時間は、所定のオフセットによるオフセットである、ステップと
を備えることを特徴する方法。
【請求項２】
オフセット値を含むシステム情報ブロック（ＳＩＢ）を送信するステップであって、前記相対Ｆ−ＤＰＣＨタイミングオフセットパラメータは、前記オフセット値によって乗算される２５６チップであり、前記ＳＩＢは、前記ＲＡＣＨプリアンブルに関連付けられるアクセススロットのサブセットのインジケータを含む、ステップと、
前記アクセススロットのサブセットの少なくとも一つにおいて前記ＲＡＣＨプリアンブルを受信するステップと
をさらに備えることを特徴とする請求項１に記載の方法。
【請求項３】
前記Ｆ−ＤＰＣＨ時間は、２５６チップによって乗算される前記相対Ｆ−ＤＰＣＨタイミングオフセットパラメータを所定数のチップに加算することによって計算される第１のオフセットを計算し、および前記第１のオフセットを前記アクイジション・インジケータを含む前記ＡＩＣＨアクセススロットの初めに加算することによって計算され、前記ＤＰＣＣＨ時間は、前記所定のオフセットを前記Ｆ−ＤＰＣＨ時間に加算することによって計算されることを特徴とする請求項１に記載の方法。
【請求項４】
前記ＤＰＣＣＨ時間は、２５６チップによって乗算される前記相対Ｆ−ＤＰＣＨタイミングオフセットパラメータを所定数のチップに加算することによって計算される第１のオフセットを計算し、および前記第１のオフセットを前記アクイジション・インジケータを含む前記ＡＩＣＨアクセススロットの初めに加算することによって計算され、前記Ｆ−ＤＰＣＨ時間は、前記所定のオフセットを前記ＤＰＣＣＨ時間から減算することによって計算されることを特徴とする請求項１に記載の方法。
【請求項５】
前記ＤＰＣＣＨは、電力制御プリアンブルで始まることを特徴とする請求項１に記載の方法。
【請求項６】
前記ＲＡＣＨプリアンブルは、ランダムに選択されるシグネチャに関連付けられることを特徴とする請求項１に記載の方法。
【請求項７】
ＲＡＣＨメッセージを拡張専用チャネル（Ｅ−ＤＣＨ）を介して受信するステップをさらに備えることを特徴とする請求項１に記載の方法。
【請求項８】
Ｅ−ＤＣＨフレームの始まりは、前記ＲＡＣＨプリアンブルの受信および前記ＲＡＣＨメッセージの受信の間の遅延を最小にするスロットにて発生することを特徴とする請求項７に記載の方法。
【請求項９】
前記アクイジション・インジケータは、拡張専用チャネル（Ｅ−ＤＣＨ）リソースへのインデックスを示すことを特徴とする請求項１に記載の方法。
【請求項１０】
前記所定のオフセットは、１０２４チップであることを特徴とする請求項１に記載の方法。
【請求項１１】
前記ＲＡＣＨプリアンブルは、ランダムに選択されるアクセススロットに関連付けられることを特徴とする請求項１に記載の方法。
【請求項１２】
前記アクイジション・インジケータは、肯定応答を示すことを特徴とする請求項１に記載の方法。
【請求項１３】
前記シグネチャは、最大で１６までのシグネチャのセットからランダムに選択されることを特徴とする請求項６に記載の方法。
【請求項１４】
ＣＥＬＬ＿ＦＡＣＨ状態における無線リンク同期化および電力制御のためのノードＢであって、
前記ノードＢは、
ランダムアクセスチャネル（ＲＡＣＨ）プリアンブルを受信する手段と、
前記ＲＡＣＨプリアンブルに応答してアクイジション・インジケータを送信する手段と、
フラクショナル専用物理チャネル（Ｆ−ＤＰＣＨ）をＦ−ＤＰＣＨ時間にしたがって送信する手段であって、前記Ｆ−ＤＰＣＨ時間は、相対Ｆ−ＤＰＣＨタイミングオフセットパラメータおよび前記アクイジション・インジケータを含むアクイジション・インジケータチャネル（ＡＩＣＨ）アクセススロットに基づく、手段と、
専用物理制御チャネル（ＤＰＣＣＨ）をＤＰＣＣＨ時間にしたがって受信する手段であって、前記ＤＰＣＣＨ時間および前記Ｆ−ＤＰＣＨ時間は、所定のオフセットによるオフセットである、手段と
を備えることを特徴するノードＢ。
【請求項１５】
オフセット値を含むシステム情報ブロック（ＳＩＢ）を送信する手段であって、前記相対Ｆ−ＤＰＣＨタイミングオフセットパラメータは、前記オフセット値によって乗算される２５６チップであり、前記ＳＩＢは、前記ＲＡＣＨプリアンブルに関連付けられるアクセススロットのサブセットのインジケータを含む、手段と、
前記アクセススロットのサブセットの少なくとも一つにおいて前記ＲＡＣＨプリアンブルを受信する手段と
をさらに備えることを特徴とする請求項１４に記載のノードＢ。
【請求項１６】
前記Ｆ−ＤＰＣＨ時間は、２５６チップによって乗算される前記相対Ｆ−ＤＰＣＨタイミングオフセットパラメータを所定数のチップに加算することによって計算される第１のオフセットを計算し、および前記第１のオフセットを前記アクイジション・インジケータを含む前記ＡＩＣＨアクセススロットの初めに加算することによって計算され、前記ＤＰＣＣＨ時間は、前記所定のオフセットを前記Ｆ−ＤＰＣＨ時間に加算することによって計算されることを特徴とする請求項１４に記載のノードＢ。
【請求項１７】
前記ＤＰＣＣＨ時間は、２５６チップによって乗算される前記相対Ｆ−ＤＰＣＨタイミングオフセットパラメータを所定数のチップに加算することによって計算される第１のオフセットを計算し、および前記第１のオフセットを前記アクイジション・インジケータを含む前記ＡＩＣＨアクセススロットの初めに加算することによって計算され、前記Ｆ−ＤＰＣＨ時間は、前記所定のオフセットを前記ＤＰＣＣＨ時間から減算することによって計算されることを特徴とする請求項１４に記載のノードＢ。
【請求項１８】
前記ＤＰＣＣＨは、電力制御プリアンブルで始まることを特徴とする請求項１４に記載のノードＢ。
【請求項１９】
前記ＲＡＣＨプリアンブルは、ランダムに選択されるシグネチャに関連付けられることを特徴とする請求項１４に記載のノードＢ。
【請求項２０】
ＲＡＣＨメッセージを拡張専用チャネル（Ｅ−ＤＣＨ）を介して受信する手段をさらに備えることを特徴とする請求項１４に記載のノードＢ。
【請求項２１】
Ｅ−ＤＣＨフレームの始まりは、前記ＲＡＣＨプリアンブルの受信および前記ＲＡＣＨメッセージの受信の間の遅延を最小にするスロットにて発生することを特徴とする請求項２０に記載のノードＢ。
【請求項２２】
前記アクイジション・インジケータは、拡張専用チャネル（Ｅ−ＤＣＨ）リソースへのインデックスを示すことを特徴とする請求項１４に記載のノードＢ。
【請求項２３】
前記所定のオフセットは、１０２４チップであることを特徴とする請求項１４に記載のノードＢ。
【請求項２４】
前記ＲＡＣＨプリアンブルは、ランダムに選択されるアクセススロットに関連付けられることを特徴とする請求項１４に記載のノードＢ。
【請求項２５】
前記アクイジション・インジケータは、肯定応答を示すことを特徴とする請求項１４に記載のノードＢ。
【請求項２６】
前記シグネチャは、最大で１６までのシグネチャのセットからランダムに選択されることを特徴とする請求項１９に記載のノードＢ。
【発明の詳細な説明】
【技術分野】
【０００１】
本願は、無線通信に関する。
【背景技術】
【０００２】
より高いスループット・より短い遅延のために、ＨＳＰＡ（High Speed Packet Access：高速パケットアクセス）の進化が考慮されている。データサービス、特に短時間のＨＤＲ（High Data Rate）が要求されるウェブブラウジングなどのインターネットサービスの増加により、ＣＥＬＬ＿ＦＡＣＨにおけるＷＴＲＵ（Wireless transmit/receive unit：無線送受信ユニット）をＣＥＬＬ＿ＤＣＨに移行させる３ＧＰＰ（the Third Generation Partnership Project：第３世代パートナーシッププロジェクト）Ｒ９９（リリース９９）メカニズムは、かなりのネットワークリソースを必要とし、かつ、そのサービスに遅延をかける。ＣＥＬＬ＿ＦＡＣＨでこのようなタイプのサービスをサポートするために、ＷＴＲＵがＣＥＬＬ＿ＤＣＨに移行せずにＥ−ＤＣＨを共有リソースと共に使用することが、既に提案され、「Ｅ−ＲＡＣＨ（Enhanced random access channel：拡張ランダムアクセスチャネル）アクセス」、または「ＣＥＬＬ＿ＦＡＣＨ状態及びアイドルモードにおけるＥ−ＤＣＨ（Enhanced dedicated channel：拡張専用チャネル）」と呼ばれる。
【０００３】
Ｅ−ＲＡＣＨアクセスは、ＲＡＣＨ（Random Access Channel：ランダムアクセスチャネル）プリアンブル送信フェーズとＥ−ＤＣＨ送信フェーズとの組合せである。図１はＥ−ＲＡＣＨアクセス手順を示す。ＲＡＣＨプリアンブル送信フェーズは、Ｅ−ＲＡＣＨにおいて使われるＮｏｄｅＢが指定または放送したＲ９９  ＲＡＣＨシグネチャのサブセットを使用する。ＮｏｄｅＢによるプリアンブルの受信がＡＩＣＨ（Acquisition Indication Channel：受信確認表示チャネル）で肯定応答され、また、ＷＴＲＵには共有Ｅ−ＤＣＨリソースを使用するためのインデックスが割当てられる。共有Ｅ−ＤＣＨリソースは、ＮｏｄｅＢによって、ＣＥＬＬ＿ＦＡＣＨでＥ−ＲＡＣＨアクセスに使用されるように事前に指定される。全ての共有Ｅ−ＤＣＨリソースについて、パラメーターは、初期設定中にＷＴＲＵに提供され、またはＮｏｄｅＢによってセル内のＷＴＲＵに放送される。各Ｅ−ＤＣＨリソースはインデックスと関連し、インデックスはＥ−ＲＡＣＨアクセスに対する肯定応答の一部として発信され、または他のシグナリングメカニズムを使用する。
【０００４】
ＷＴＲＵがインデックス値を受信すると、すべての割当てられた共有Ｅ−ＤＣＨリソースと関連する構成パラメーターが知られ、ＷＴＲＵはＲ９９と同じようにＮｏｄｅＢと通信する必要がない。実際には、Ｅ−ＲＡＣＨにおいて、通常のＲ９９の１０または２０ｍｓのＰＲＡＣＨ（Physical Random Access Channel：物理ランダムアクセスチャネル）メッセージ部分のかわりに、Ｅ−ＤＣＨがメッセージ送信に使用される。
【０００５】
Ｅ−ＲＡＣＨアクセスは、従来のＣＥＬＬ＿ＦＡＣＨからＣＥＬＬ＿ＤＣＨに移行と関連するオーバーヘッドを不要にする。データ転送が完了すると、データ共有Ｅ−ＤＣＨリソースが解放され、ＷＴＲＵがＣＥＬＬ＿ＦＡＣＨ内のままで、他のＷＴＲＵが共有Ｅ−ＲＡＣＨリソースを使用できる。従って、かなりの移行遅延削減は実現され、ＣＥＬＬ＿ＤＣＨが終了する時、ＣＥＬＬ＿ＦＡＣＨへ再移行ならびに再初期化は不要になる。ＷＴＲＵはＥ−ＲＡＣＨアクセスからＣＥＬＬ＿ＤＣＨへ直接パーマネント移行を要求することができる。
【０００６】
従来のＲＡＣＨアクセスは、事前に構成された初期電力レベルで、１６個までのシグネチャのセットからランダムに選択された一つのＰＲＡＣＨシグネチャのプリアンブル送信から開始する。関連するＡＩＣＨでＮｏｄｅＢから応答が受信できない場合、ＷＴＲＵは次の利用可能なアクセススロットを選択し、電力を事前に定義された量によって増加させ、新しい利用可能なシグネチャのセットからランダムに選択されたシグネチャを送信する。プリアンブル送信の最大量を超えた場合、またはＮＡＣＫ（Negative Acknowledgement：否定応答）を受信した場合、ＷＴＲＵはＰＲＡＣＨアクセス手順を終了し、これをより上位層（ＭＡＣ（Medium Access Control：媒体アクセス制御））に報告する。
【０００７】
ＮｏｄｅＢからＡＣＫ（Positive acknowledgement：肯定受信応答）を受信した場合、ＷＴＲＵは、前回送信されたＲＡＣＨプリアンブルのアップリンクアクセススロットから、３または４アプリンクアクセススロット後に、ＲＡＣＨメッセージを送信する。図２はＲＡＣＨアクセススロットとＡＩＣＨアクセススロットとの間のタイミング関係を示す。ＲＡＣＨアクセススロットは、対応するＡＩＣＨアクセススロットにτp-a先行する。例えば、ＷＴＲＵがＰＲＡＣＨアクセススロット＃２でプリアンブルを送信する場合、ＷＴＲＵの能力により、ＷＴＲＵは、ＡＩＣＨアクセススロット＃２でＡＣＫ応答を得て、ＰＲＡＣＨアクセススロット＃5または＃６でＲＡＣＨメッセージの送信を開始することができる。
【０００８】
図1に示されるように、ＮｏｄｅＢによってＥ−ＤＣＨリソースが割当てられるとき、ＣＥＬＬ＿ＦＡＣＨ中の３ＧＰＰ  Ｒ８（リリース８）Ｅ−ＲＡＣＨアクセスは、ＲＡＣＨプリアンブル送信から開始し、ＲＡＣＨプリアンブル送信の後に共有Ｅ−ＤＣＨ送信が続く。ＮｏｄｅＢからＮＡＣＫまたは無応答の場合、ＷＴＲＵは、最大数の試みを達するまで、次に使用可能なアクセススロットで再び送信することが要求される。Ｒ９９と同じように、ＮｏｄｅＢがＡＩＣＨを介してＲＡＣＨプリアンブルに応答する。Ｅ−ＤＣＨ送信開始のタイミングは、Ｆ−ＤＰＣＨ（Fractional Dedicated Physical Channel：フラクショナル専用物理チャネル）フレームタイミング（通常のＥ−ＤＣＨと同じ）に対して固定時間オフセットとされることが、同意されている。変数τF-DPCH,pで表現されるＦ−ＤＰＣＨタイミングオフセットは、ネットワークにより設定され、Ｆ−ＤＰＣＨによって異なることがあり、ただし、Ｐ−ＣＣＰＣＨフレームタイミングからのオフセットは、常に２５６チップの倍数である。図３はダウンリンク物理チャネルの無線フレームタイミング及びアクセススロットタイミングを示す。図４はＰ−ＣＣＰＣＨ（Primary Common Control Physical Channel）とＡＩＣＨとＦ−ＤＰＣＨとＤＰＣＣＨ（Dedicated Physical Control Channel）とＥ−ＤＣＨとの間のダウンリンク及びアップリンクタイミング関係を示す。
【０００９】
ＣＥＬＬ＿ＦＡＣＨ状態及びアイドルモードにおけるＥ−ＤＣＨの使用と関連する課題の一つは、Ｆ−ＤＰＣＨフレームタイミングを決定することにある。従来のシステムにて、ＷＴＲＵがＣＥＬＬ＿ＤＣＨに移行するとき、Ｆ−ＤＰＣＨフレームタイミングはネットワークにより明確に通知される。Ｆ−ＤＰＣＨフレームはプリアンブル送信の初めを指示し、本質的にアップリンクスクランブリングコードシーケンスの開始を決定する。フレーム中にスクランブリングコードの初期化が難しいので、一般的に、ＷＴＲＵは少なくとも１回フレーム境界を横断してからアプリンク送信を開始することが必要となる。
【００１０】
現在ＣＥＬＬ＿ＤＣＨにされるとおりに、Ｆ−ＤＰＣＨフレームタイミングをＰ−ＣＣＰＣＨに固定するのは、ＣＥＬＬ＿ＦＡＣＨにおけるＥ−ＤＣＨに困難を引き起こす可能性がある。実際には、電力制御更新を１フレーム（１０ｍｓ）遅延させる可能性を引き起こす。例示のため、Ｅ−ＤＣＨ共有リソースのＦ−ＤＰＣＨフレームタイミングで（固定Ｐ−ＣＣＰＣＨに関して）定義されるように、アップリンクＥ−ＤＣＨフレームの終わりに近いアクセススロットにおいて送信されるＥ−ＲＡＣＨプリアンブルが考えられる。ＡＣＫはＡＩＣＨを介して送信されると仮定すれば、このＡＣＫ応答がアプリンクＥ−ＤＣＨフレームの終わり、または次のＥ−ＤＣＨフレームの初めで受信され、その結果、次のＥ−ＤＣＨフレームの初めまでは、ＷＴＲＵが、送信する機会がないことがある（スクランブリングコードを初期化する必要のため）。結果として、電力制御ループが確立できる前に長い遅延が生じ、本質的に、初回の電力制御更新は、前回のＲＡＣＨプリアンブル送信からほぼ1フレーム（10ｍｓ）後になる。これで電力制御ループ安定化問題を引き起こすことがある。また、ＲＡＣＨメッセージ部分の送信に付加的な遅延を生じさせることもある。従って、Ｐ−ＣＣＰＣＨに対する所定のＦ−ＤＰＣＨオフセットの場合、Ｅ−ＲＡＣＨアクセスに他のアクセススロットより有利なアクセススロットもあり、電力制御更新遅延により望ましくないアクセススロットもある。
【発明の概要】
【００１１】
ＣＥＬＬ＿ＦＡＣＨ状態・アイドルモードにおける無線リンク同期化・電力制御のための方法及び装置が開示される。ＷＴＲＵはＲＡＣＨプリアンブルを送信し、そして、ＡＩＣＨ及びＥ−ＤＣＨリソースのインデックスを介して、ＲＡＣＨプリアンブルを肯定応答する受信確認表示を受信する。ＷＴＲＵはＥ−ＤＣＨフレームの開始を決定する。Ｆ−ＤＰＣＨタイミングオフセットは、ＲＡＣＨアクセススロット及び受信確認表示を搬送するＡＩＣＨアクセススロットのうちの一つに関して定義される。相対Ｆ−ＤＰＣＨタイミングオフセットをＷＴＲＵに通知することができ、ＷＴＲＵは相対Ｆ−ＤＰＣＨタイミングオフセットと受信確認表示を含むＡＩＣＨアクセススロットのタイミングとに基づいて、Ｅ−ＤＣＨフレームの開始を決定することができる。ＷＴＲＵはＥ−ＤＣＨ送信開始前にＤＰＣＣＨ電力制御プリアンブルを送信することができる。
【図面の簡単な説明】
【００１２】
より詳細な理解は、添付の図面と共に例として与えられる以下の説明から得ることができる。
【図１】Ｅ−ＲＡＣＨアクセス手順を示す図である。
【図２】ＰＡＣＨアクセススロットとＡＩＣＨアクセスとの間のタイミング関係を示す図である。
【図３】ダウンリンク物理チャネルの無線フレームタイミング及びアクセススロットタイミングを示す図である。
【図４】Ｐ−ＣＣＰＣＨとＡＩＣＨとＦ−ＤＰＣＨとＤＰＣＣＨとＥ−ＤＣＨとの間のダウンリンク及びアップリンクタイミング関係を示す図である。
【図５】アクセススロットは６０％がＲ９９  ＲＡＣＨアクセスに割当てられ、４０％がＲ８  Ｅ−ＲＡＣＨアクセスに割当てられる例示的な実例を示す図である。
【図６】相対及び絶対タイミングオフセットを示す図である。
【図７】例示的なＥ−ＤＣＨ送信用のシナリオを示す図である。
【図８】Ｅ−ＤＣＨ送信前にＤＰＣＣＨプリアンブル送信の４無線スロットを示す図である。
【図９】Ｆ−ＤＰＣＨフレーム境界を横断後にＤＰＣＣＨのみの送信が行われる送信を示す図である。
【図１０】例示的なＷＴＲＵのブロック図である。
【発明を実施するための形態】
【００１３】
以下で参照される場合、「ＷＴＲＵ（無線送受信ユニット）」という用語には、それだけには限定されないが、ＵＥ（ユーザ機器）、移動局、固定式または携帯式の加入者ユニット、ページャ、セルラー電話、ＰＤＡ、コンピュータ、または無線環境で動作することができる他の任意のタイプのユーザ装置が含まれる。以下で参照される場合、「Ｎｏｄｅ−Ｂ」という用語には、それだけに限定されないが、基地局、サイトコントローラ、ＡＰ（アクセスポイント）、または無線環境で動作することができる他の任意のタイプのインターフェイス装置が含まれる。
【００１４】
本実施形態はＲ８に適用でき、また、Ｅ−ＲＡＣＨを使用して、以前のリリースのように全面的なＣＥＬＬ＿ＤＣＨへの切り替えを必要とせず、ＣＥＬＬ＿ＦＡＣＨ状態またはアイドルモード中に共有Ｅ−ＤＣＨリソースへのアクセスを提供する、３ＧＰＰ  ＷＣＤＭＡ（Wideband Code Division Multiple Access）（登録商標）規格を超えて適用できる。ここで開示される実施形態は、ＷＣＤＭＡまたは３ＧＰＰ  Ｒ８以外の任意の無線システムに拡張することができることを注意するべきである。
【００１５】
実施形態１によれば、Ｅ−ＤＣＨ送信用の電力レベルは、Ｒ９９と同様なオープンループ電力制御スキームを利用してオフセットＰp-mで制御され、Ｅ−ＤＣＨ送信の後に正常なＲＡＣＨプリアンブル送信が続く。ｄＢ単位で測定される電力オフセットＰp-mは、前回送信できたＲＡＣＨプリアンブルの電力とランダムアクセスメッセージの制御部分との間のオフセットである。電力オフセットＰp-mは、次のＥ−ＤＣＨフレーム境界までの時間に基づいて修正される。Ｅ−ＤＣＨ送信スロットが前回のＲＡＣＨプリアンブル送信から遠いほど、ＲＡＣＨプリアンブル送信中に測定される電力レベルが高く調整される。調整関数は、不確定性を表す線形、放物線、またはｄＢインクリメントでよい。
【００１６】
実施形態２によれば、ＰＲＡＣＨアクセススロットが限定され、選択されるＥ−ＲＡＣＨプリアンブルスロットはＥ−ＤＣＨ送信がアップリンクフレーム境界に近いことを確保する。Ｅ−ＲＡＣＨプリアンブル送信は、Ｅ−ＤＣＨフレーム中心に制限されてもよい。例えば、ゼロＦ−ＤＰＣＨオフセットの特定の場合、ＰＲＡＣＨアクセススロットは、Ｅ−ＲＡＣＨプリアンブル送信用の許容スロットとして、アクセススロット４、５、６、１１、１２、１３及び１４に限定されてもよい。
【００１７】
３ＧＰＰ  ＴＳ  ２５．２１４  ｖ７．５．０に規定されるように、Ｅ−ＲＡＣＨプリアンブル送信をＲＡＣＨサブチャネル毎に割当てることができ、ここで表１に提供される。ＲＡＣＨサブチャネルは、全体集合のＲＡＣＨアクセススロットのサブセットを定義する。表１に示されるように、全部で１２ＲＡＣＨサブチャネルがある。アップリンク及びダウンリンクタイミング関係、ならびにＥ−ＤＣＨフレーム境界に基づいて、表１でＲＡＣＨプリアンブル送信に適切な行を選択できる。τF-DPCH,pはＥ−ＤＣＨフレーム境界の算出に使用できるので、τF-DPCH,pの値に基づいてアクセススロットを限定することができる。
【００１８】
【表１】
0005540129.tif 000002
【００１９】
実施形態３によれば、一部のアクセススロットがＲ８  Ｅ−ＲＡＣＨに有利なので、Ｆ−ＤＰＣＨ時間オフセット（τF-DPCH,p）の場合、アクセススロットのサブセットがＲ８  ＷＴＲＵに割当てられ、他のスロットがＲ９９  ＷＴＲＵに割当てられる。例えば、Ｒ８  Ｅ−ＲＡＣＨアクセスに有利な半分のアクセススロットがＲ８  ＷＴＲＵに割当てられ、他のアクセススロットがＲ９９  ＷＴＲＵに割当てられる。
【００２０】
アクセススロットの割当はダイナミックでもよい。Ｒ９９及びＲ８  Ｅ−ＲＡＣＨ向けのアクセススロットがネットワークによって構成され、Ｒ９９  ＷＴＲＵが顕著になるときに、さらにアクセススロットがＲ９９  ＲＡＣＨに割当てられ、Ｅ−ＲＡＣＨアクセス能力を持つＲ８  ＷＴＲＵが顕著になるときに、さらにアクセススロットがＲ８  Ｅ−ＲＡＣＨアクセスに割当てられる。的確なアクセススロットの分割は、ＮｏｄｅＢまたはＲＮＣ（Radio Network Controller：無線ネットワークコントローラ）によって決定される。図５は、アクセススロットは、６０％がＲ９９  ＲＡＣＨアクセスに割当てられ、４０％がＲ８  Ｅ−ＲＡＣＨアクセスに割当てられる例示的な実例を示す。
【００２１】
実施形態４によれば、前回のＲＡＣＨプリアンブル送信から経った時間が長すぎる場合、共有Ｅ−ＤＣＨ送信に適当な電力レベルを再調整するために、二度目のプリアンブルを送信することができる。この場合、不利なＲＡＣＨアクセススロットにおけるそれらのＷＴＲＵは、共有Ｅ−ＤＣＨ送信の電力レベルを再調整するために、二度目のプリアンブル送信を要求するので、より多くのＲＡＣＨプリアンブル送信が起こる可能性がある。
【００２２】
実施形態５によれば、ＲＡＣＨプリアンブル及び／または共有Ｅ−ＤＣＨ送信時に、ＣＰＩＣＨ測定または他のレファレンスチャネル測定に基づいて、共有Ｅ−ＤＣＨ送信電力レベルを推定することができる。
【００２３】
実施形態６によれば、Ｆ−ＤＰＣＨフレームのタイミングは、前回のＲＡＣＨアクセススロットでのＲＡＣＨプリアンブル送信とその初期Ｅ−ＤＣＨ送信との間に短い遅延を生じさせるように、設定される。この遅延は、前回のＲＡＣＨプリアンブル用の送信電力レベルがＥ−ＤＣＨ送信によい開始点であることを確保できるくらい十分に短かくすべきであり、これより、ポテンシャル電力同期化問題及び過度のアップリンク干渉を最小化する。
【００２４】
従来、Ｆ−ＤＰＣＨタイミングオフセット（τF-DPCH,p）は、Ｐ−ＣＣＰＣＨフレーム境界に対して、定義される。実施形態６によれば、ＷＴＲＵに割当てられるＦ−ＤＰＣＨタイミングオフセットは、前回のＲＡＣＨプリアンブル送信若しくは受信の開始若しくは終了、加えてオプションとして付加的なオフセット、または前回のＡＩＣＨプリアンブル送信若しくは受信の開始若しくは終了、加えてオプションとして付加的なオフセットに対して、定義される。Ｆ−ＤＰＣＨタイミングオフセットは、事前に定義されてもよい、またはより上位層シグナリング（例えば、ＳＩＢ（System Information Block：システム情報ブロック））を介して通知されてもよい。Ｆ−ＤＰＣＨタイミングオフセットが前回のＲＡＣＨプリアンブル送信若しくは受信、またはＡＩＣＨ送信若しくは受信のタイミングに対するので、この前回ＲＡＣＨプリアンブル送信とＥ−ＤＣＨ送信との間に大きい遅延ができる可能性があるという問題はなくなる。
【００２５】
複数のＷＴＲＵは同じＦ−ＤＰＣＨチャネライゼーションコードを共有することが許可されると、異なるＦ−ＤＰＣＨタイミングオフセットで定義されるリソースを有することが好ましい。あるいは、リソースをＦ−ＤＰＣＨタイミングオフセットに関して定義するかわりに、全てのリソースについて、ＰＲＡＣＨアクセススロット送信に対するＦ−ＤＰＣＨタイミングオフセットを、事前に定義された値に固定してもよい、ただし、ＷＴＲＵ用のリソースを異なるＦ−ＤＰＣＨスロットフォーマットに関して定義してもよい。異なるリソースに異なるＦ−ＤＰＣＨスロットフォーマットを使用するのは、Ｆ−ＤＰＣＨタイミングオフセットが事前に決定された場合でも、ＮｏｄｅＢが十分で柔軟に同じＦ−ＦＰＣＨチャネライゼーションコードを複数のＷＴＲＵに割当てることを可能にさせる。
【００２６】
あるいは、ネットワークはＦ−ＤＰＣＨ「相対」（ＲＡＣＨ送信若しくは受信、またはＡＩＣＨ送信若しくは受信に対する）タイミングオフセットを放送することができる。これは複数のＷＴＲＵが同時に同じＦ−ＤＰＣＨチャネライゼーションコードを共有することを可能にさせながら、同時に、前回のＲＡＣＨプリアンブル送信とＥ−ＤＣＨ送信の開始との間に、遅延を最小化するＰ−ＣＣＰＣＨに関するＦ−ＤＰＣＨ「絶対」タイミングオフセットを選択するのには、柔軟性を提供する。ネットワークはＳＩＢを介して各Ｅ−ＤＣＨリソースと関連するＦ−ＤＰＣＨ「相対」タイミングオフセットを放送することができる。フレーム毎にＮ無線スロットを有するシステムと同じＦ−ＤＰＣＨを共有するＫ個のＷＴＲＵとについて、各リソースに一意のＦ−ＤＰＣＨ「相対」タイミングオフセットＲ＿ｏｆｆ＝０…Ｋ−１を割当てることができる。そして、ＷＴＲＵとネットワークは遅延を最小化できるスロット番号（Ｓ＿ｎｕｍ＝１．．Ｎ）を選択する柔軟性を持つ。ＷＴＲＵとネットワークとの間に一致を確保するために、スロット番号の選択にルールが規定される（例えば、規格において、スロット番号Ｓ＿ｎｕｍが固定されてもよい）。リソースと関連するＦ−ＤＰＣＨ相対タイミングオフセットと、事前に構成された、またはＷＴＲＵ及びＮｏｄｅＢによって選択されたスロット番号とから、Ｆ−ＤＰＣＨ“絶対”タイミングオフセットを（Ｓ＿ｎｕｍ−１）×Ｋ＋Ｒ＿ｏｆｆにより算出することができる。
【００２７】
図６は、Ｎ＝１５かつＫ＝１０となる実例における相対及び絶対タイミングオフセットを示す。図７は例示的なＥ−ＤＣＨ送信のシナリオを示す。図７において、ＰＲＡＣＨアクセススロット５においてＲＡＣＨプリアンブルがすでに正常に送信され、ＡＩＣＨアクセススロット５においてネットワークがＡＣＫで応答する。Ｅ−ＤＣＨリソースは使用可能であれば、それらをＷＴＲＵに割当てることができる。このリソース割当は、Ｆ−ＤＰＣＨ「相対」タイミングオフセットと関連する。ＷＴＲＵ及びネットワークは、事前に構成されたルールに基づいて、スロット１４でＥ−ＤＣＨ送信開始を決定する。スロット１４の選択は、構成されたτp―mまたは、他の規格化された若しくはネットワーク構成された遅延Ｔに基づいてもよい、τp―mまたはＴは、例えばＳＩＢを介して放送される。
【００２８】
複数のＤＰＣＣＨスロットを含むＤＰＣＣＨ電力制御プリアンブル（即ち、Ｅ−ＤＣＨ送信なしに、ＤＰＣＣＨのみの送信）を、最初のＥ−ＤＣＨ送信前の複数の無線スロットの間に送信することができ、電力制御ループのアップリンク同期化及び安定化することができる。図８は、Ｅ−ＤＣＨ送信前の４無線スロットのＤＰＣＣＨプリアンブル送信を示す。以前の３ＧＰＰ規格のリリースには、同期化手順Ａと関連するＤＰＣＣＨプリアンブルの持続期間が無線フレームの数に関して定義される。本実施形態によれば、ＤＰＣＣＨプリアンブル持続期間、開始及び停止時間は、無線スロットに関して定義されてもよい。ＤＰＣＣＨプリアンブル持続期間は、前回のアップリンクＲＡＣＨプリアンブル送信とＤＰＣＣＨプリアンブルの開始との間の時間差によって決めることができる。このように、時間差が大きくなるのに伴い、電力制御ループを安定化するために、プリアンブル送信が長くなる。プリアンブル持続期間及びプリアンブル開始時間の選択用のパラメーターは、より上位層によって通知されてもよい、または事前に構成されても、及び／または暗黙でもよい。
【００２９】
オプションとして、初期ＤＰＣＣＨプリアンブル電力レベルを実施形態１によるＥ−ＤＣＨ電力送信電力オフセットのように、調整することができる。初期ＤＰＣＣＨプリアンブル電力レベルは、前回のＲＡＣＨプリアンブル送信とアップリンク送信開始（ＤＰＣＣＨまたはＥ−ＤＣＨ送信）の時点との間の時間差に基づいて調整することができる。これは、初期送信失敗を引き起こす可能性があるチャネルにおける時間変動の防止を可能にさせる。電力オフセットの量を選択するパラメーターは、より上位層によって通知されてもよい、または事前に構成されても、及び／または暗黙でもよい。
【００３０】
ＤＰＣＣＨのみのプリアンブルの送信は、アップリンクスクランブリングコードの開始と関連する困難を引き起こす可能性がある。アップリンクスクランブリングコードは、１無線フレームの期間（１０ｍｓ）を持つ疑似ランダムシーケンスである。アップリンクスクランブリングの開始は、Ｅ−ＤＣＨ無線フレームの初めと同期化される。従って、アップリンク無線フレームを開始する前にＷＴＲＵがＤＰＣＣＨプリアンブルの送信を開始する場合、ＷＴＲＵ及びＮｏｄｅＢはどこからスクランブリングシーケンスを開始するかを知る必要があり、これはスクランブリングシーケンス生成自体が原因で、困難なタスクとなる。
【００３１】
この問題を解決するため、ＤＰＣＣＨプリアンブルの持続期間に、また、２ｍｓのＴＴＩ（Transimission Time Interval：送信時間間隔）を持つＥ−ＤＣＨの場合、最初の数Ｅ−ＤＣＨ  ＴＴＩの間にも、共通アップリンクスクランブリングコードが一時的に使用されてもよい。この共通アップリンクスクランブリングは、事前に構成されても、またはより上位層によって通知されても、または暗黙でもよい。例えば、共通アップリンクスクランブリングコードは、ＷＴＲＵによってＲＡＣＨで前回のアクセスプリアンブルに使用されたスクランブリングコードと、同じでもよい。ＷＴＲＵは、予めに共通アップリンクスクランブリングコードを知るので、ＷＴＲＵは、無線フレームの何処からでもアップリンク送信を開始することができ、本質的に、ＤＰＣＣＨの早い送信を可能にさせる。また、ＤＰＣＣＨプリアンブルに共通スクランブリングコードを使用するのは、ＤＰＣＣＨプリアンブル送信の迅速な検出及び同期化を可能にさせる。このような場合、ＤＰＣＣＨプリアンブル持続期間は、本質的に前回のＲＡＣＨプリアンブル送信とＥ−ＤＣＨ送信の開始との間の時間差により決まる。オプションとして、付加的なＤＰＣＣＨプリアンブル期間がＦ―ＤＰＣＨフレームの開始の後に定義され、ＮｏｄｅＢが新しいスクランブリングコードと同期化できるくらい十分な時間があるようにしてもよい。この期間は、事前に定義されても、またはネットワークによって通知されてもよい。
【００３２】
あるいは、ＣＥＬＬ＿ＦＡＣＨでＥ−ＤＣＨ送信のためにＦ−ＤＰＣＨフレームを調整して、ＤＰＣＣＨプリアンブル（割当てられたアップリンクスクランブリングコードを使用）が常に、ＷＴＲＵがＡＩＣＨ・Ｅ−ＡＩＣＨでそのＥ−ＤＣＨリソース割当を得てから少なくとも一つのＦ−ＤＰＣＨフレーム境界横断後に、開始するようにしてもよい。これは、例えばＲＡＣＨアクセススロットまたはＡＩＣＨアクセススロットに基づいてＦ−ＤＰＣＨ時間オフセットを選択することより、実現することができる。図９は、Ｆ−ＤＰＣＨフレーム境界横断後にＤＰＣＣＨのみの送信が行われる送信を示す。図９において、最初のＮ  ＴＴＩの間、Ｅ−ＤＣＨ送信がオフで、ＤＰＣＣＨのみの送信が行われる。
【００３３】
従来のＰ−ＣＣＰＣＨフレームタイミングからのＦ−ＤＰＣＨフレームオフセットτF-DPCH,pは、２５６チップの倍数である。τF-DPCH,pは、整数個の無線スロット（Ｐ−ＣＣＰＣＨフレームの初めから２５６０チップの倍数）と無線スロットフラクショナルオフセットとの和として、表すことができる。
【００３４】
τF-DPCH,p＝Ｌ×２５６０＋ｋ’×２５６  （１）
ここで、Ｌ＝０，１，…，１４、かつ、ｋ’＝０，１，…，９となる。無線スロットフラクショナルオフセットは、同じＦ−ＤＰＣＨチャネライゼーションコードを複数のＷＴＲＵ（同じＦ−ＤＰＣＨスロットフォーマットと仮定）に使用することを許可する。
【００３５】
ＡＩＣＨまたはＥ−ＡＩＣＨでＥ−ＤＣＨリソース割当の直後にＦ−ＤＰＣＨフレーム境界が届くように、ネットワークは、所定のＦ−ＤＰＣＨチャネライゼーションコードに対して、無線スロットのうちにＴＰＣ（Transmit Power Control：送信電力制御）コマンドがいつ送信されるかを決定するタイミングオフセットの部分のみを、または同等に無線スロットフラクショナルオフセット（固定のＦ−ＤＰＣＨスロットフォーマットと仮定）を、または同等に無線スロットフラクショナルオフセットとＦ−ＤＰＣＨスロットフォーマットとの組合せをＥ−ＤＣＨ共有リソースの一部とし、放送することができる。この情報は、式（１）におけるｋ’で表現することができる。整数個の無線スロットに関して表される（例えば、式（１）におけるＬで表される）タイミングオフセットの部分は、ＷＴＲＵにより送信される前回のＲＡＣＨプリアンブルに対して定義されるオフセットＬ’を（または、ＲＡＣＨとＡＩＣＨとの間に固定のタイミング関係があるので、同等にＡＩＣＨの送信に対して定義されるオフセットを）含む。このオフセットＬ’は、規格で事前に構成されても、またはより上位層によって（例えば、ＳＩＢの一部として）通知されてもよい。これは、アップリンク送信の開始にできるだけ近いＦ−ＤＰＣＨフレームオフセットを定義するのを可能にさせ、一方、全てのＤＰＣＨチャネライゼーションコード割当の柔軟性をＮｏｄｅＢに任せる。そして、結果としてＰ−ＣＣＰＣＨに対する絶対Ｆ−ＤＰＣＨフレームオフセット（Ｌ）は、（１）前回送信されたＲＡＣＨアクセススロット（またはＡＩＣＨアクセススロット）のタイミングによって決定されたＰ−ＣＣＰＣＨフレームからのオフセット（即ち、ＲＡＣＨプリアンブルの送信またはＡＩＣＨの受信前のＰ−ＣＣＰＣＨからのＲＡＣＨまたはＡＩＣＨアクセススロットの数）と、（２）その前回のＲＡＣＨプリアンブル（または受信されたＡＩＣＨ）に対するオフセット（Ｌ’）と、（３）通知された無線スロット内のオフセット（ｋ’）（２５６チップの倍数で）との和として、現すことができる。Ｆ−ＤＰＣＨフレームオフセットが常に正数で、最も近いＰ−ＣＣＰＣＨフレームに対することに注意されたい。従って、必要の場合、打ち切りを適用することができる。
【００３６】
各共通Ｅ−ＤＣＨリソースに対して、Ｐ−ＣＣＰＣＨに関する絶対タイミングオフセットのかわりに、無線スロット内の相対タイミングオフセットを放送する利点は、後者が前者よりずっと少ない情報を必要とすることである。実際には、無線スロット毎に１０オフセットの一つを通知するのは４ビットを必要とするが、１５０オフセットの一つ（スロット毎に１０オフセット、無線フレーム毎に１５スロット）を通知するのは８ビットを必要とする。この情報がＳＩＢで各共通Ｅ−ＤＣＨリソースに放送されることを考えれば、これはかなりの利点をあらわせる。
【００３７】
図１０は例示的なＷＴＲＵ１０００のブロック図である。ＷＴＲＵ１０００は送受信ユニット１００２、制御ユニット１００４、及び測定ユニット１００６を含む。送受信ユニット１００２は、ランダムに選択されるＲＡＣＨアクセススロットでＲＡＣＨプリアンブルを送信し、ＡＩＣＨを介してＲＡＣＨプリアンブルに応答するＡＣＫまたはＮＡＣＫ表示を受信し、Ｅ−ＤＣＨを介してＥ−ＲＡＣＨメッセージを送信するように、構成される。コントローラ１００４は、上述された実施形態１乃至７による無線リンク同期化及び電力制御用の制御機能を実行するように構成され、上記制御機能は、肯定応答されたＲＡＣＨプリアンブルの送信から次のＥ−ＤＣＨフレーム境界までの時間に基づいて、肯定応答されたＲＡＣＨプリアンブルの送信電力とＥ−ＲＡＣＨメッセージの制御部分の送信電力との間に電力オフセットを調整することと、Ｅ−ＤＣＨ送信がアップリンクフレーム境界に近いことを確保するように、ＲＡＣＨアクセススロットを選択することと、肯定応答されたＲＡＣＨプリアンブル送信から経つ時間が事前に決定された閾値を超える場合、Ｅ−ＲＡＣＨメッセージに送信電力を決定するために、もう一つのＲＡＣＨプリアンブルの送信を開始することと、ＣＰＩＣＨ測定に基づいて、Ｅ−ＲＡＣＨメッセージ送信に送信電力を決定することと、肯定応答されたＲＡＣＨプリアンブル送信およびＲＡＣＨプリアンブルに応答するＡＩＣＨ受信のうちの一つに関して、Ｆ−ＤＰＣＨタイミングオフセットを決定することと、ＤＰＣＣＨ電力制御プリアンブルの送信を制御することとを含む。測定ユニット９０６は、ＣＰＩＣＨ測定などの測定を実行するように構成される。
【００３８】
（実施形態）
１．ＣＥＬＬ＿ＦＡＣＨ状態及びアイドルモードにおける無線リンク同期化及び電力制御のための方法。
【００３９】
２．ランダムに選択されるＲＡＣＨアクセススロットにおいてＲＡＣＨプリアンブルを送信するステップを含む実施形態１に記載の方法。
【００４０】
３．ＲＡＣＨプリアンブルを肯定応答する受信確認表示及びＥ−ＤＣＨリソースのインデックスを受信するステップを含む実施形態２に記載の方法。
【００４１】
４．相対Ｆ−ＤＰＣＨタイミングオフセットパラメーター及び受信確認表示を含むＡＩＣＨアクセススロットのタイミングに基づいて、ＤＰＣＣＨ送信開始時間とＦ−ＤＰＣＨ受信開始時間を決定するステップであって、前記ＤＰＣＣＨ送信開始時間と前記Ｆ−ＤＰＣＨ受信開始時間は事前に決定されたオフセットによってオフセットされるステップを含む実施形態３に記載の方法。
【００４２】
５．Ｆ−ＤＰＣＨ受信開始時間によってＦ−ＤＰＣＨを受信するステップを含む実施形態４に記載の方法。
【００４３】
６．ＤＰＣＣＨ送信開始時間によってＤＰＣＣＨ電力制御プリアンブルを送信するステップを含む実施形態４〜５のいずれかに記載の方法。
【００４４】
７．Ｅ−ＤＣＨを介してＥ−ＲＡＣＨメッセージを送信するステップを含む実施形態４〜６のいずれかに記載の方法。
【００４５】
８．ＷＴＲＵは、ＲＡＣＨプリアンブルを送信する前に相対Ｆ−ＤＰＣＨタイミングオフセットパラメーターを得る実施形態４〜７のいずれかに記載の方法。
【００４６】
９．ＤＰＣＣＨ電力制御プリアンブルの持続期間、開始及び停止時間は、無線スロットに関して定義される実施形態６〜８のいずれかに記載の方法。
【００４７】
１０．Ｆ−ＤＰＣＨ受信開始時間は、２５６チップで乗算した相対Ｆ−ＤＰＣＨタイミングオフセットパラメーターを事前に決定されたチップ数に加算して最初のオフセットを算出して、前記最初のオフセットを受信確認表示を搬送するＡＩＣＨアクセススロットの初めに加算することにより算出され、ＤＰＣＣＨ送信開始時間は、事前に決定されたオフセットをＦ−ＤＰＣＨ受信開始時間に加算することにより算出される実施形態４〜９のいずれかに記載の方法。
【００４８】
１１．ＤＰＣＣＨ送信開始時間は、２５６チップで乗算した相対Ｆ−ＤＰＣＨタイミングオフセットパラメーターを事前に決定されたチップ数に加算して最初のオフセットを算出して、前記最初のオフセットを受信確認表示を搬送するＡＩＣＨアクセススロットの初めに加算することにより算出され、Ｆ−ＤＰＣＨ受信開始時間は、事前に決定されたオフセットをＤＰＣＣＨ送信開始時間から差し引くことにより算出される実施形態４〜１０のいずれかに記載の方法。
【００４９】
１２．相対Ｆ−ＤＰＣＨタイミングオフセットパラメーターは、各Ｅ−ＤＣＨリソースと関連する実施形態４〜１１のいずれかに記載の方法。
【００５０】
１３．相対Ｆ−ＤＰＣＨタイミングオフセットは、ＳＩＢを介して受信される実施形態４〜１２のいずれかに記載の方法。
【００５１】
１４．ＤＰＣＣＨ電力制御プリアンブルは、Ｅ−ＤＣＨリソースが割当てられてから少なくとも一つのＦ−ＤＰＣＨフレーム境界横断後に開始する実施形態４〜１３のいずれかに記載の方法。
【００５２】
１５．Ｆ−ＤＰＣＨタイミングオフセットは、固定であり、異なるＦ−ＤＰＣＨスロットフォーマットは、Ｆ−ＤＰＣＨに同じチャネライゼーションコードが割当てられたＷＴＲＵに割当てられる実施形態４〜１４のいずれかに記載の方法。
【００５３】
１６．Ｅ−ＤＣＨフレームの開始は、肯定応答されたＲＡＣＨプリアンブル送信とＥ−ＲＡＣＨメッセージ送信との間に遅延を最小化するように選択される特定のスロット番号で発生する実施形態４〜１５のいずれかに記載の方法。
【００５４】
１７．スロット番号は、ＡＩＣＨで受信された受信確認表示から、事前に定義されたオフセットに基づいて選択される実施形態１６に記載の方法。
【００５５】
１８．ＣＥＬＬ＿ＦＡＣＨ状態及びアイドルモードにおける無線リンク同期化及び電力制御のためのＷＴＲＵ。
【００５６】
１９．ランダムに選択されるＲＡＣＨアクセススロットにおいてＲＡＣＨプリアンブルを送信し、ＲＡＣＨプリアンブルを肯定応答する受信確認表示及びＥ−ＤＣＨリソースのインデックスを受信し、Ｆ−ＤＰＣＨを受信し、ＤＰＣＣＨ電力制御プリアンブルを送信し、Ｅ−ＤＣＨを介してＥ−ＲＡＣＨメッセージを送信するように構成される送受信ユニットを含む実施形態１８に記載のＷＴＲＵ。
【００５７】
２０．相対Ｆ−ＤＰＣＨタイミングオフセットパラメーター及び受信確認表示を含むＡＩＣＨアクセススロットのタイミングに基づいて、ＤＰＣＣＨ送信開始時間とＦ−ＤＰＣＨ受信開始時間を決定し、前記ＤＰＣＣＨ送信開始時間と前記Ｆ−ＤＰＣＨ受信開始時間は事前に決定されたオフセットによってオフセットされることにより、ＤＰＣＣＨ電力制御プリアンブルの送信及びＦ−ＤＰＣＨの受信を制御するように構成されるコントローラを含む実施形態１９に記載のＷＴＲＵ。
【００５８】
２１．コントローラは、ＲＡＣＨプリアンブルを送信する前に相対Ｆ−ＤＰＣＨタイミングオフセットパラメーターを受信する実施形態２０に記載のＷＴＲＵ。
【００５９】
２２．ＤＰＣＣＨ電力制御プリアンブルの持続期間、開始及び停止時間は、無線スロットに関して定義される実施形態２０〜２１のいずれに記載のＷＴＲＵ。
【００６０】
２３．２５６チップで乗算した相対Ｆ−ＤＰＣＨタイミングオフセットパラメーターを事前に決定されたチップ数に加算して最初のオフセットを算出して、前記最初のオフセットを受信確認表示を搬送するＡＩＣＨアクセススロットの初めに加算することにより、Ｆ−ＤＰＣＨ受信開始時間を算出し、事前に決定されたオフセットをＦ−ＤＰＣＨ受信開始時間に加算することにより、ＤＰＣＣＨ送信開始時間を算出するように構成されるコントローラを含む実施形態２０〜２２のいずれかに記載のＷＴＲＵ。
【００６１】
２４．２５６チップで乗算した相対Ｆ−ＤＰＣＨタイミングオフセットパラメーターを事前に決定されたチップ数に加算して最初のオフセットを算出して、前記最初のオフセットを受信確認表示を搬送するＡＩＣＨアクセススロットの初めに加算することにより、ＤＰＣＣＨ送信開始時間を算出し、事前に決定されたオフセットをＤＰＣＣＨ送信開始時間から差し引くことにより、Ｆ−ＤＰＣＨ受信開始時間を算出するように構成されるコントローラを含む実施形態２０〜２３のいずれかに記載のＷＴＲＵ。
【００６２】
２５．相対Ｆ−ＤＰＣＨタイミングオフセットパラメーターは、各Ｅ−ＤＣＨリソースと関連する実施形態２０〜２４のいずれかに記載のＷＴＲＵ。
【００６３】
２６．相対Ｆ−ＤＰＣＨタイミングオフセットは、ＳＩＢを介して受信される実施形態２０〜２５のいずれかに記載のＷＴＲＵ。
【００６４】
２７．ＤＰＣＣＨ電力制御プリアンブルは、Ｅ−ＤＣＨリソースが割当てられてから少なくとも一つのＦ−ＤＰＣＨフレーム境界横断後に開始する実施形態２０〜２６のいずれかに記載のＷＴＲＵ。
【００６５】
２８．Ｆ−ＤＰＣＨタイミングオフセットは、固定であり、異なるＦ−ＤＰＣＨスロットフォーマットは、Ｆ−ＤＰＣＨに同じチャネライゼーションコードが割当てられたＷＴＲＵに割当てられる実施形態２０〜２７のいずれかに記載のＷＴＲＵ。
【００６６】
２９．Ｅ−ＤＣＨフレームの開始は、肯定応答されたＲＡＣＨプリアンブル送信とＥ−ＲＡＣＨメッセージ送信との間に遅延を最小化するように選択される特定のスロット番号で発生する実施形態２０〜２８のいずれかに記載のＷＴＲＵ。
【００６７】
３０．スロット番号は、ＡＩＣＨで受信された受信確認表示から、事前に定義されたオフセットに基づいて選択される実施形態２９に記載のＷＴＲＵ。
【００６８】
特徴および構成要素が特定の組合せで説明されたが、各特徴または構成要素は、他の特徴および構成要素を伴わずに単独で使用することができ、または他の特徴および構成要素を伴うもしくは伴わない様々な組合せで使用することができる。本明細書で提供された方法またはフローチャートは、汎用コンピュータまたはプロセッサによって実行される、コンピュータ読取り可能記憶媒体に含まれるコンピュータプログラム、ソフトウェア、またはファームウェアで実施することができる。コンピュータ読取り可能記憶媒体の例は、ＲＯＭ（リードオンリメモリ）、ＲＡＭ（ランダムアクセスメモリ）、レジスタ、キャッシュメモリ、半導体メモリデバイス、内蔵ハードディスクおよび着脱可能ディスクなどの磁気媒体、光磁気媒体、ならびにＣＤ−ＲＯＭディスクおよびＤＶＤ（デジタル多用途ディスク）などの光媒体を含む。
【００６９】
適切なプロセッサは、例を挙げれば、汎用プロセッサ、専用プロセッサ、従来型プロセッサ、デジタル信号プロセッサ（ＤＳＰ）、複数のマイクロプロセッサ、ＤＳＰコアと連携する１つもしくは複数のマイクロプロセッサ、コントローラ、マイクロコントローラ、ＡＳＩＣ（特定用途向け集積回路）、ＦＰＧＡ（フィールドプログラマブルゲートアレイ）回路、他の任意のタイプのＩＣ（集積回路）、ならびに／または状態機械を含む。
【００７０】
ソフトウェアと連携するプロセッサは、無線送受信ユニット（ＷＴＲＵ）、ユーザ機器（ＵＥ）、端末、基地局、無線ネットワークコントローラ（ＲＮＣ）、または任意のホストコンピュータにおいて使用される無線周波数トランシーバを実施するために使用することができる。ＷＴＲＵは、カメラ、ビデオカメラモジュール、ビデオフォン、スピーカフォン、バイブレーションデバイス、スピーカ、マイクロフォン、テレビトランシーバ、ハンズフリーヘッドセット、キーボード、Ｂｌｕｅｔｏｏｔｈ（登録商標）モジュール、ＦＭ（周波数変調）ラジオユニット、ＬＣＤ（液晶表示）ディスプレイユニット、ＯＬＥＤ（有機発光ダイオード）ディスプレイユニット、デジタル音楽プレーヤ、メディアプレーヤ、ビデオゲームプレーヤモジュール、インターネットブラウザ、および／または任意の無線ＬＡＮもしくはＵＷＢ（超広帯域）モジュールなど、ハードウェアおよび／またはソフトウェアで実施されるモジュールと併せて使用することができる。
【図１】
0005540129.tif 000003
【図２】
0005540129.tif 000004
【図３】
0005540129.tif 000005
【図４】
0005540129.tif 000006
【図５】
0005540129.tif 000007
【図６】
0005540129.tif 000008
【図７】
0005540129.tif 000009
【図８】
0005540129.tif 000010
【図９】
0005540129.tif 000011
【図１０】
0005540129.tif 000012